(57)【要約】【目的】常時手袋を使用している職業人、冬期手袋を使用する地方の人々が、その都度、内部に指を入れなくとも、また手袋を脱がなくとも収納及び取出しが容易なホルダーケースを提供するものである。【構成】携帯電話等の物品を収納して携行するホルダーケースにおいて、該ケースの正面部１の適宜所に孔１４を貫設するとともに、端部に引き輪１６を備え、他端部を背面の内面壁に取付けた引き帯１５を、前記孔１４を挿通して引出し自在に設けたことを特徴としている。  また、背面部の外面に袋部を設けるとともに、該袋部に、少なくとも上下の一方端部が着脱自在なバンドを設けている。【選択図】  図４
2005199008.tif 000002
【特許請求の範囲】
【請求項１】
携帯電話等の物品を収納して携行するホルダーケースにおいて、該ケースの正面部１の適宜所に孔１４を貫設するとともに、端部に引き輪１６を備え、他端部を背面の内面壁適宜所に取付けた引き帯１５を、前記孔１４を挿通して引出し自在に設けたことを特徴とするホルダーケース。
【請求項２】
背面部の外方面に袋部８を設けるとともに、該袋部に、上下何れか一方が或いは両端部が着脱自在なバンド７を設けた請求項１記載のホルダーケース。
【発明の詳細な説明】
【発明の詳細な説明】
【技術分野】
【０００１】  本発明は、携帯電話や折りたたみナイフ或いは懐中電灯といった物品を収納して携行するホルダーケースに関するものである。
【背景技術】
【０００２】  従来品のほとんどの機種は、単に物品を収納するに適した大きさや、携行するに託する着脱の利便性を追求したものであった。
例えば携帯電話用のケースは、多種多様の物が販売されており需要者の選択肢は多い。しかしながら、それらの多くは意匠的要素が強く、特に、常時手袋を使用して作業を行っている屋外作業者用に適した機能面の要素が満たされたものは見当たらない。すなわち、その都度、手を突っ込んだり或いは手袋を脱がなくとも容易にホルダーケースから取出せたり、収納したりできるものが求められていた。この事は常時手袋を使用している上記職業の人や寒冷地の人々にとって重要なことである。
【発明が解決しようとする課題】
【０００３】  本発明は以上の要求に応えるためになされたもので、外形は従来品と何ら変り無く意匠的要素を備えながら、手袋を常時使用している職業の人々や、寒冷地の人々がその都度、手袋を脱がなくとも容易に電話等の収納物が取出せるホルダーケースを提供するものである。
【課題を解決するための手段】
【０００４】  本発明は前記目的を達成するため、携帯電話等を収納して携行するホルダーケースにおいて、該ケース正面部の適宜所に孔を貫設するとともに、端部に引き輪を備え、他端部は背面の内面壁適宜所に取付けた引き帯を、前記孔を挿通して引出し自在に設けたことを特徴としている。
【０００５】  また、背面の外方面に袋部を設けるとともに、該袋部に、上下何れか一方か或いは両端部を着脱自在にしたバンドを設け、課題を解決するための手段としている。
【作用】
【０００６】  本発明は、以上のような構成を有するホルダーケースを提供するものであって、ケースの蓋部を開き、正面部の孔から出ている引き輪を引けば、収納部に収められている物品がケースから頭部をあらわすこととなる。
つまり、引き輪を引くことによって該輪と連結されている引き帯が引かれ、この帯に載置された状態を呈して収納されている物品は浮き上げられ、ケースから外方に出て行く作用をなすものである。
【発明を実施するための最良の形態】
【０００７】  本発明は、ここでその実施例を説明する携帯電話用のケースや上記記載の物品のみに限定されるもので無く、例えばランドセルやかばん等、収納した内容物を浮き上らせて、取り出しを容易にするものであれば多用途に利用できる発明でもある。
以下に、本発明を携帯電話のホルダーケースに実施の形態について図面を参照して説明する。【０００８】  図１は、本発明実施に係る携帯電話用ケース正面部の説明図で、図２はその背面部の説明図、図３は蓋部を開いたときの状態を示す説明図である。
図４は図３の状態から引き輪を引いた状態を示し、図５は内部を一部断面で示す説明図である。以下順にその実施の形態につき詳細に説明する。【０００９】  図１図２及び図３による本発明実施に係る携帯電話用ケースの外形的な全体構成は、正面部１、背面部６、側面部３及び蓋部２とで収納部４を形成し、蓋部２は、その裏面に設けた面ファスナー１１と正面部１表面に設けられた面ファスナー１２とで、開閉自在となっている。図中符号５のスナップはデザイン的効果を目的にしたものである。【００１０】  背面部６には袋部８を有し、該袋部外面には、上端部に吊輪１０を備えるとともに、下端部にはスナップ９を設け、このスナップで着脱自在にバンド７が設けられている。  ここでバンド７は、上端が固定され下端が着脱自在な実施例で図示されているが、図示のものと逆であったり、或いは上下両端がともに着脱自在であったり、または、長手方向以外にも取付けられることも本発明の実施例となり得る。【００１１】  図３において蓋部２が開放されるが、この時点で収納されている携帯電話の位置に何ら変化は無いが、正面部１には孔１４が貫設され、該孔を挿通して、引き帯１５の先端部に取付けられた引き輪１６が明確に現れ、前記引き帯１５は図中矢印方向に引き移動自在となっていることを示している。
尚、図中符号１１，１２で示されている部材は前記説明の役目を果たす面ファスナーである。【００１２】  図４及び図５では、本発明の重要な部材である引き帯１５の収納部内部における位置関係と、その作動を説明するもので、引き帯１５の一方端部は背面部内面壁の適宜所に取付けられている。
つまり携帯電話は、該帯に載置される容で収納されるものであるから、この帯は一定の幅（１５ｍｍ前後以上）を有していることが望ましい。
それは、引き帯を引いた時、納められている携帯電話は抵抗無く、ごく自然に持上げられ、収納部から姿をあらわすこととなる。
【発明の効果】
【００１３】  本発明は、携帯電話や折りたたみナイフ、或いは懐中電灯といった物品を収納して携行するホルダーケースにおいて、
該ケースの正面部の適宜所に孔を貫設するとともに、端部に引き輪を備え、他端部を背面の内面壁に取付けた引き帯を、引出し自在に前記孔を挿通して設け構成されたものであるから、引き輪を引けば、収納物品は引き帯に持上げられて自然と収納部から姿をあらわすこととなる。
一方、収める時は従来品同様に収納部に押込むだけで良く、その都度手袋を脱がなくともケースから取出して使用することができる。
この事は手袋を常時使用して作業している職業の人々や寒冷地の人々にとってその効果は大きいものがある。
また、背面部の外面方には袋部を設けるとともに、該袋部外面に、少なくとも上下の一方端部が着脱自在なバンドを設けているので、該ケースをベルトに通して使用でき、その取外しも容易であるばかりでなく、袋部にはメモや切符等の小片物や携帯電話にあってはループ紐を入れておけるので使い勝手が良い。
【図面の簡単な説明】
【図１】本発明を携帯電話用ケースに使用した正面部及び側面部の説明図である。
【図２】背面部の説明図である。
【図３】蓋部を開いたときの説明図である。
【図４】図３において、引き輪を引いた状態を説明する図である。
【図５】ケースの収納部内を一部断面で示す説明図である。
【符号の説明】
１正面部    ２蓋部    ３側面部    ４収納部    ５スナップ    ６背面部
７バンド    ８袋部    ９スナップ    １０吊輪    １１，１２面ファスナー
１３携帯電話    １４孔    １５引き帯    １６引き輪
【図１】
2005199008.tif 000003
【図２】
2005199008.tif 000004
【図３】
2005199008.tif 000005
【図４】
2005199008.tif 000006
【図５】
2005199008.tif 000007